(57)【特許請求の範囲】
【請求項１】
内側に洗濯兼脱水槽を設置した外槽と、前記外槽の下部に設けた吸い出し口から該外槽内の空気を吸い出し、吸い出した空気を前記洗濯兼脱水槽の上部開口に臨んで設けた吹き込み口から該洗濯兼脱水槽内に吹き込む循環風路と、前記外槽から循環風路に吸い出した循環空気を水冷除湿する水冷除湿手段と、水冷除湿した循環空気を加熱する加熱手段とを備えた洗濯乾燥機において、
前記循環風路は、前記外槽の外周側に該外槽と一体的に成形した風路ダクトを備え、
前記循環風路に設置して循環空気を生成する循環ファンは、吸い込み口部および吹き出し口部を有し、羽根車の吸い込み側を開口する形態で包囲するように形成されて前記外槽の下側に位置するように該外槽に取り付けられた吹き出し側ケーシングと、前記吹き出し側ケーシングの開口を覆うと共に前記吸い込み口部から羽根車の吸い込み側までの風路を形成する吸い込み側ケーシングを備えたことを特徴とする洗濯乾燥機。
【請求項２】
請求項１において、前記吹き出し側ケーシングは、この吹き出し側ケーシングを外槽の下側に取り付けた状態で前記吸い込み口部および吹き出し口部が前記風路ダクトの下端部に嵌合するように形成したことを特徴とする洗濯乾燥機。
【請求項３】
請求項１または２において、前記吹き出し側ケーシングと吸い込み側ケーシングは、その周縁部に嵌着用の溝と突条を備えたことを特徴とする洗濯乾燥機。
【請求項４】
請求項１〜３の１項において、前記羽根車を駆動する電動機は吹き出し側ケーシングに取り付けたことを特徴とする洗濯乾燥機。
【請求項５】
請求項１〜３の１項において、前記吹き出し側ケーシングと吸い込み側ケーシングの間に羽根車の吸い込み側と吹き出し側の間を仕切る仕切り板を挟持したことを特徴とする洗濯乾燥機。
【請求項６】
請求項１〜３の１項において、前記吸い込み側ケーシングは、ドレン排出口を備えたことを特徴とする洗濯乾燥機。
【発明の詳細な説明】
【０００１】
【発明の属する技術分野】
本発明は、洗濯乾燥機に関する。
【０００２】
【従来の技術】
外槽を防振支持装置によって外枠内に吊り下げるように設置し、この外槽内に洗濯兼脱水槽と撹拌翼を設けた洗濯機に、脱水工程後に洗濯兼脱水槽内に空気を循環させて該洗濯兼脱水槽内の洗濯物を乾燥させる手段を付加した洗濯乾燥機が提案されている。
【０００３】
この洗濯乾燥機の乾燥手段は、循環ファンによって外槽の下部に形成した吸い出し口から吸い出した空気を前記循環ファンに導く風路において水冷除湿し、除湿した空気をヒータで加熱した後に吹き込み口から洗濯兼脱水槽の上部開口に吹き込む構成である。
【０００４】
【発明が解決しようとする課題】
この種の洗濯乾燥機は、洗濯機に乾燥手段を付加した構成であり、構造が複雑になる問題がある。
【０００５】
本発明の１つの目的は、循環風路に循環ファンを合理的に設置することができる洗濯乾燥機を提案することにある。
【０００６】
【課題を解決するための手段】
本発明は、洗濯兼脱水槽を内包した外槽の下部に設けた吸い出し口から該外槽内の空気を吸い出し、吸い出した空気を前記洗濯兼脱水槽の上部開口に臨んで設けた吹き込み口から該洗濯兼脱水槽内に吹き込む循環風路を形成して洗濯兼脱水槽内の洗濯物を乾燥させ洗濯乾燥機において、前記循環風路は、前記外槽の外周側に該外槽と一体的に成形した風路ダクトを備え、この循環風路に設置して循環空気を生成する循環ファンは、前記外槽の下側に取り付けることによって吸い込み口部および吹き出し口部を前記風路ダクトに嵌合するように構成したことを特徴とする。
【０００７】
【発明の実施の形態】
本発明は、内側に洗濯兼脱水槽を設置した外槽と、前記外槽の下部に設けた吸い出し口から該外槽内の空気を吸い出し、吸い出した空気を前記洗濯兼脱水槽の上部開口に臨んで設けた吹き込み口から該洗濯兼脱水槽内に吹き込む循環風路と、前記外槽から循環風路に吸い出した循環空気を水冷除湿する水冷除湿手段と、水冷除湿した循環空気を加熱する加熱手段とを備えた洗濯乾燥機において、前記循環風路は、前記外槽の外周側に該外槽と一体的に成形した風路ダクトを備え、この循環風路に設置して循環空気を生成する循環ファンは、吸い込み口部および吹き出し口部を有し、羽根車の吸い込み側を開口する形態で包囲するように形成されて前記外槽の下側に位置するように該外槽に取り付けられた吹き出し側ケーシングと、前記吹き出し側ケーシングの開口を覆うと共に前記吸い込み口部から羽根車の吸い込み側までの風路を形成する吸い込み側ケーシングを備えた構成で実施することができる。
【０００８】
そして、前記吹き出し側ケーシングは、この吹き出し側ケーシングを外槽の下側に取り付けた状態で前記吸い込み口部および吹き出し口部が前記風路ダクトの下端部に嵌合するように形成する構成とすることが望ましい。この嵌合は、吹き出し側ケーシングと吸い込み側ケーシングの周縁部に嵌着用の溝と突条を設けて行うことが望ましい。
【０００９】
また、前記羽根車を駆動する電動機は吹き出し側ケーシングに取り付ける構成とすることが望ましい。
【００１０】
また、前記吹き出し側ケーシングと吸い込み側ケーシングの間に羽根車の吸い込み側と吹き出し側の間を仕切る仕切り板を挟持するような構成とすることが望ましい。
【００１１】
また、前記吸い込み側ケーシングは、ドレン排出口を備えた構成とすることが望ましい。
【００１２】
本発明の実施の形態を図面を参照して説明する。
図１は、本発明の一実施の形態である洗濯乾燥機を縦断面して示す模式図である。
【００１３】
１は、外郭を構成する四角筒状の外枠である。２は、洗濯兼脱水槽であり、その周壁に通水および通風のための小穴２ａを有し、その上縁部に流体バランサー３を備え、底部の内側には回転自在に撹拌翼４を設置する。撹拌翼４は、通水および通風のための小穴４ａを有する。５は、前記洗濯兼脱水槽２を内包する外槽であり、底部の外側には駆動装置６を鋼板製の取り付けベース７によって取り付け、外枠１の上端部の四隅部に係止した４本の防振支持装置８によって外槽５を四方から均等に吊り下げることにより該外枠１の中心部に懸垂するように支持する。
【００１４】
駆動装置６は、駆動電動機と電動操作クラッチ機構と遊星歯車減速機構を内蔵し、洗濯兼脱水槽２を静止させた状態で撹拌翼４を回転させ（撹拌モード）、洗濯兼脱水槽２と撹拌翼４をそれぞれ反対方向に回転させ（選択モード）、洗濯兼脱水槽２と撹拌翼４を一体的に同一方向に回転（脱水・乾燥モード）させるような選択的な駆動機能を有する。
【００１５】
外側衣類投入口９ａを形成したトップカバー９は、外枠１の上部開口を覆うように該開口端縁に嵌め込み、フロントパネル１０およびバックパネル１１と共に取り付けねじによって外枠１に取り付ける。
【００１６】
トップカバー９とフロントパネル１０の間に形成される前部収納部であるフロントパネルボックス１２には、電源スイッチ１３と入力スイッチ群および表示素子群を備えた操作パネル１４と、外槽５内の水位に応じた水位信号を発生する水位センサ１５と、コントロールユニット１６を内蔵する。これらは、制御装置を構成する。
【００１７】
トップカバー９とバックパネル１１の間に形成される後部収納部であるバックパネルボックス１７には、後述する洗濯水給水手段と高濃度洗剤液生成・供給手段を横並びにして内蔵する。
【００１８】
洗濯水給水手段は、入水側を水栓接続口１８に接続し、出水側を注水口１９に接続した主給水電磁弁２０によって構成する。
【００１９】
高濃度洗剤液生成・供給手段は、補助給水電磁弁２２から洗剤溶解容器２１に洗剤溶解水を供給し、この洗剤溶解容器２１内に投入されている粉末合成洗剤を撹拌しながら前記洗剤溶解水で溶解して高濃度洗剤液を生成し、更なる給水により希釈しながら洗剤溶解容器２１から溢水させて前記注水口１９に供給し、洗剤溶解容器２１に付設した仕上剤投入室（詳細は後述する）に給水することによって溢水させて前記注入口１９に供給するように構成する。
【００２０】
注水口１９は、トップカバー９の底と外槽５の外槽上カバー２８の後部を貫通して洗濯兼脱水槽２の上部開口内に向けて開口する。この注水口１９は、トップカバー９の底と外槽上カバー２８の間には可撓管１９ａ（図３参照）を介在させる。
【００２１】
温風循環乾燥手段は、外槽５の下部の側壁に形成した吸い出し口５ａから該外槽５の後側の外壁面に沿って垂直状態で上向きに伸びるように形成して前記吸い出し口５ａから浸入した洗濯水を堰き止める除湿風路部である水冷除湿ダクト２３と、この水冷除湿ダクト２３内の上部に位置して該ダクト内に冷却水を供給する水冷除湿手段である冷却散水部２４と、洗濯工程における外槽５の水位よりも高い位置で折り返して該外槽５の外壁面に沿って該外槽５の下側に向かって垂直に伸びる下降風路部である下降風路ダクト２５と、外槽５の下側の空間に配置されて前記下降風路ダクト２５から吸い込み口に空気を吸い込んで循環空気を生成する循環ファン２６と、この循環ファン２６の吹き出し口から外槽５の外壁面に沿って上方向に垂直状態に伸びる上昇風路部である上昇風路ダクト２７と、外槽５の上端部に取り付けた外槽上カバー２８上に設置されて前記上昇風路ダクト２７から送り込まれる循環空気を加熱する加熱手段であるヒータ（ＰＴＣヒータ）２９を内蔵し、加熱した循環空気を洗濯兼脱水槽２内に向けて吹き込む吹き込み口３０を備える。
【００２２】
循環風路を構成する前記水冷除湿ダクト２３，下降風路ダクト２５および上昇風路ダクト２７は、外槽５の後側の外壁面に該外槽５の周方向に並べてその一部を該外槽５と一体成形して実装し、これらの外側を覆う裏側蓋１ａは、外側に膨出する形状に構成してねじ止めする。
【００２３】
また、下降風路ダクト２５内には湿度センサ４０と第１温度センサ４１を設置し、吹き込み口３０のヒータ２９の下流側の間の風路内には第２温度センサ４２を設置する。
【００２４】
また、ここでは図示説明を省略するが、水冷除湿ダクト２３から下降風路ダクト２５への折り返し部分には、後述する糸屑捕集手段を備える。
【００２５】
トップカバー９に形成した外側衣類投入口９ａは、２つ折り（山折り）に開くようにヒンジ３１ａによってトップカバー９に取り付けた外蓋３１によって開閉自在に覆い、外槽５の上端に取り付けた外槽上カバー２８に形成した内側衣類投入口２８ａは、ヒンジ３２ａによって外槽上カバー２８に取り付けた内蓋３２によって開閉自在に覆うように構成する。
【００２６】
外槽５の底に形成した排水口５ｂは、排水電磁弁３３を介して排水ホース３４に接続する。エアートラップ５ｃは、エアーチューブ３５を介して前記水位センサ１５に接続する。外枠１の下端縁には、四隅に脚３６を取り付けた合成樹脂で成形されたベース３７を装着する。
なお、参照符号３８は、洗濯兼脱水槽２内に投入された洗濯物である。
【００２７】
この洗濯乾燥機は、電源スイッチ１３を投入し、外蓋３１と内蓋３２を開いて洗濯兼脱水槽２内に洗濯物３８を投入し、外蓋３１と内蓋３２を閉じて操作パネル１４の洗濯開始スイッチを投入すると、コントロールユニット１６は、駆動装置６を運転して洗濯兼脱水槽２を静止させた状態で撹拌翼４を回転させることによって布量を検出し、洗濯水量および相応する洗剤量を決定し、これを表示するように操作パネル１４の表示素子群１４ｂを制御する。
【００２８】
そして、外蓋３１を開けて相当する量の粉末合成洗剤および仕上剤が洗剤溶解容器２１に投入され、外蓋３１が閉じられると、補助給水電磁弁２２を開いて前記粉末合成洗剤を溶解するのに好適な量の水道水（洗剤溶解水）を洗剤溶解容器２１に供給し、更に、洗剤撹拌電動機３９を運転して粉末合成洗剤を撹拌しながら溶解して高濃度洗剤液を生成する。
【００２９】
この間、駆動装置６を制御して洗濯兼脱水槽２と撹拌翼４を緩速回転させて洗濯物３８を回転させながら主給水電磁弁２０を開いて給水することによって、水道水を洗濯物３８に満遍なく降りかけて該洗濯物３８を湿潤させる。このときの給水量は、洗濯物３８を均一に湿潤させることができる程度に止めるように制御する。
【００３０】
次に、補助給水電磁弁２２を開いて洗剤溶解容器２１に追加の給水を行うことにより該洗剤溶解容器２１内の高濃度洗剤液を溢水させて注水口１９に供給すると共に主給水電磁弁２０を開いて注水口１９に供給することにより、高濃度洗剤液を所望の洗剤濃度（５〜３０倍の範囲）に希釈して洗濯物３８に降りかけるように制御する。このとき、高濃度洗剤液が洗濯物３８に満遍なく降りかかって該洗濯物３８内に均一に浸沈するように、洗濯兼脱水槽２と撹拌翼４を一体的に緩速回転させ、または洗濯兼脱水槽２を静止させた状態で撹拌翼４を回転させることによって、洗濯物３８を回転または撹拌するように駆動装置６を制御する。
【００３１】
このように粉末合成洗剤を水で溶解して生成し更に希釈した５〜３０倍の濃度の高濃度洗剤液を洗濯物３８に浸沈させると、洗剤成分の化学的な洗浄力が洗濯物３８の汚れに効率良く作用して洗浄力を高める。
【００３２】
高濃度洗剤液を洗濯物３８に浸沈させた後、所定の水位まで洗い水を給水するように主給水電磁弁２０と補助給水電磁弁２２を開弁制御し、その後、洗濯兼脱水槽２と撹拌翼４を反対方向に正，逆回転させて洗濯物３８に機械力を作用させる洗い工程を実行するように駆動装置６を制御する。
【００３３】
洗い工程を終了した後に、洗い水を機外に排水するように排水電磁弁３３を開弁制御し、洗濯兼脱水槽２と撹拌翼４を一体的に高速回転させて洗い水を遠心脱水する中間脱水を行うように駆動装置６を制御する。この中間脱水を終了した後に、排水電磁弁３３を閉弁制御し、所定の濯ぎ水位まで給水するように主給水電磁弁２０を開弁制御し、更に、洗濯兼脱水槽２と撹拌翼４を反対方向に正，逆回転させて洗濯物３８に機械力を作用させる濯ぎ工程を実行するように駆動装置６を制御する。この濯ぎ工程は、必要に応じて、複数回実行し、最後の濯ぎにおける給水時に補助給水電磁弁２２ａを開いて仕上剤を供給する。
【００３４】
濯ぎ工程を終了した後に、濯ぎ水を機外に排水するように排水電磁弁３３を開弁制御し、排水後に、洗濯兼脱水槽２と撹拌翼４を一体的に高速回転させて濯ぎ水を遠心脱水する最終脱水を行うように駆動装置６を制御する。
【００３５】
このように洗濯および遠心脱水した洗濯物３８を洗濯兼脱水槽２内で乾燥させるように、洗濯兼脱水槽２と撹拌翼４を一体的または反対方向に回転させるように駆動装置６を制御し、外槽５および洗濯兼脱水槽３内の湿潤空気を吸い出し口５ａから吸い出して吹き込み口３０から洗濯兼脱水槽２内に吹き込む循環空気を生成するように循環ファン２６を運転制御し、この循環空気を水冷除湿ダクト２３内で水冷するように冷却散水部２４の散水電磁弁２４ａを制御し、洗濯兼脱水槽２に吹き込む空気を加熱するようにヒータ２９を制御する温風乾燥工程を実行する。この温風乾燥工程の制御は、湿度センサ４０，第１温度センサ４１，第２温度センサ４２の検出信号を監視しながら実行し、所望の乾燥度が得られた時点で終了する。
【００３６】
図２〜図４は、前述した洗濯乾燥機の具体的な構成を示すもので、図２は洗濯乾燥機の縦断側面図、図３は外枠の後側を切り欠いて循環風路部を示す洗濯乾燥機の背面図、図４は洗濯乾燥機の一部を切り欠いて示す下面図である。図１の説明と重複する説明の一部は省略する。
【００３７】
回転駆動装置６は、可逆型の駆動電動機６１と電動操作クラッチ機構６２と太陽歯車減速機構６３と撹拌翼４が結合される中心出力軸６４と洗濯兼脱水槽２が結合される外側出力軸６５を備える。太陽歯車減速機構６３は、駆動電動機６１に直結した太陽歯車と外側出力軸６５に直結した内歯車と遊星歯車を支持して中心出力軸６４に直結するキャリアを備える。そして、電動操作クラッチ機構６２を撹拌モードに制御することによって、太陽歯車減速機構６３の内歯車（外側出力軸６５と洗濯兼脱水槽２に連結）を静止させた状態で駆動電動機６１の回転力を太陽歯車と遊星歯車とキャリアを介して減速して中心出力軸６４に伝達して撹拌翼４を正逆回転させ、電動操作クラッチ機構６２を洗濯モードに制御することによって、太陽歯車減速機構６３の内歯車（外側出力軸６５と洗濯兼脱水槽２に連結）を回転自由状態にして駆動電動機６１の回転力を太陽歯車と遊星歯車とキャリアを介して減速して中心出力軸６４に伝達することにより撹拌翼４を正逆回転させると共に内歯車に作用する反力を外側出力軸６５に伝達して洗濯兼脱水槽２を撹拌翼４と反対の方向に回転させ、電動操作クラッチ機構６２を脱水・乾燥モードに制御することによって、太陽歯車減速機構６３の太陽歯車と内歯車を駆動電動機６１に直結して該駆動電動機６１の回転力を中心出力軸６４と外側出力軸６５を介して洗濯兼脱水槽２と撹拌翼４に伝達してこれらを一体的に回転させる構成である。
【００３８】
循環風路における水冷除湿ダクト２３の垂直部分は、円筒状の外槽５の最後部位、すなわち、外枠１の裏側蓋１ａに最も近い部位に位置するように外槽２に沿わせて該外槽２の側壁の吸い出し口５ａの周縁から連続させて該側壁と一体的に成形により形成する。この水冷除湿ダクト２３は、外槽２と後側蓋１ａの間の狭隘な空間に配置するために好適なように、奥行きを狭くし、横幅を広げた長方形の風路断面形状に形成する。このように幅広の略長方形の風路断面形状の水冷除湿ダクト２３は、壁面が広くなるので循環空気冷却壁面が増加することから循環空気の冷却除湿に好適である。
【００３９】
下降風路ダクト２５の垂直部分は、前記水冷除湿ダクト２３の横隣に該水冷除湿ダクト２３と共通の側壁となるように外槽５の側壁に一体成形により形成する。この位置は、外槽５の湾曲によって裏側蓋１ａから離れるので、風路断面形状は、奥行きを広げて幅を狭くした略正方形状に形成することにより、循環風路の横幅の広がりを抑制するように構成する。
【００４０】
上昇風路ダクト２７の垂直部分は、前記水冷除湿ダクト２３の反対側の横隣に該水冷除湿ダクト２３と共通の側壁となるように外槽５の側壁に一体成形により形成する。この位置は、外槽５の湾曲によって裏側蓋１ａから離れるので、風路断面形状は、奥行きを広げて幅を狭くした略正方形状に形成することにより、循環風路の横幅の広がりを抑制するように構成する。
【００４１】
このように外槽５の後側の側壁に沿って該側壁に一体成形した各ダクト２３，２５，２７の外側面は、外枠１の後側の側壁を構成する裏側蓋１ａの膨出部分の内側に所定の間隔で対向するように略直線形状に形成する。そして、この外槽５は、外枠１の上端部の四隅部に結合した補強部材１ｂに係止した４本の防振支持装置８によって外槽５を四方から均等に吊り下げることにより該外枠１の中心部に懸垂するように支持する。
【００４２】
水冷除湿ダクト２３の垂直部分と下降風路ダクト２５の上端部を連通させる上部折り返し部材４４は、外槽５の上端に取り付けた外槽上カバー２８の上面の後部に張り出させ、糸屑捕集手段を構成する糸屑フィルタ４５を内蓋３２の上側から斜めに挿脱可能に収納する。
【００４３】
また、上昇風路ダクト２７の垂直部分の上端部に連通させた吹き込み口３０は、前記外槽上カバー２８の上面の後部に張り出させ、ヒータ２９を内蔵し、加熱した循環空気を洗濯兼脱水槽２の回転方向に対して逆方向に向けて該洗濯兼脱水槽２内に吹き込むように外槽上カバー２８を貫通させて該洗濯兼脱水槽２の開口に臨んで開口させる。ヒータ２９は、ＰＴＣヒータを採用し、通風路が上下方向に傾くように斜めに設置して吹き込み口３０の背丈を低くすることによって機体の背丈の増加を抑制する。
【００４４】
外槽上カバー２８は、下側の樹脂成形部材と上側の金属板（ステンレス板）を重合した２層構造であり、必要に応じて、前記吹き込み口３０と上部折り返し部材４４の一部を樹脂成形部材２８と一体成形する。金属板は、補強および耐熱部材として機能させる。
【００４５】
循環ファン２６は、詳細は後述するが、遠心羽根車５４と該遠心羽根車５４を回転させる電動機５５と遠心羽根車５４を包囲する吹き出し側ケーシング５１吸い込み側ケーシング５２を備え、外槽５の底部の下側に取り付けることによって、外枠１内において外槽５の下側に形成される空間に前記駆動装置６と並べてその後側に位置するように配置する。吸い込み側ケーシング５２は、ドレン排出口５２ｂを有する。そして、この循環ファン２６は、下降風路ダクト２５と上昇風路ダクト２７の下端部に連結する。
【００４６】
図５は、前述した外槽５と各ダクト２３，２５，２７の一体的な形態を示す斜視図である。
【００４７】
外槽５と各ダクト２３，２５，２７の垂直部分は、合成樹脂によって一体的に成形する。下降風路ダクト２５と上昇風路ダクト２７の下端は、開放状態に成型し、循環ファン２６を外槽５の下側に取り付けることによって該循環ファン２６の吸い込み口部と吹き出し口部が下降風路ダクト２５と上昇風路ダクト２７の下端に嵌合する。
【００４８】
次に、循環ファン２６について、図６〜図８を参照して説明する。図６は、部品の一部を分解して示す循環ファンの縦断側面図、図７は、循環ファンを分解して示す縦断側面図、図８は吹き出し側ケーシングと仕切り板と吸い込み側ケーシングの内面図である。
【００４９】
循環ファン２６は、吹き出し側ケーシング５１と、吸い込み側ケーシング５２と、仕切り板５３と、遠心羽根車５４と、電動機５５を備える。
【００５０】
吹き出し側ケーシング５１は、吸い込み口部５１ａと、吹き出し口部５１ｂと、遠心羽根車５４を収容する羽根車室部５１ｃと、この羽根車室部５１ｃと前記吹き出し口部５１ｂを連通させる吹き出し風路部５１ｄと、電動機取付部５１ｅと、外槽５への取り付け脚部５１ｆと、吸い込み側ケーシングねじ結合部５１ｇと、吸い込み側ケーシング５２を気密状態に嵌着させる周縁嵌着溝５１ｈを備える。吸い込み口部５１ａは、上方向に伸びて風路を貫通させた筒状部であり、その上端は、外槽５に形成した下降風路ダクト２５の下端に嵌合させる形態に形成する。吹き出し口部５１ｂは、上方向に伸びて風路を貫通させた筒状部であり、その上端は、外槽５に形成した上昇風路ダクト２７の下端に嵌合させる形態に形成し、下端開口は、吹き出し風路部５１ｄを介して羽根車室部５１ｃに連通させる共にこれらと共に下方向を開放する。電動機取付部５１ｅは、羽根車室部５１ｃの上外側に位置させて形成し、この電動機取付部５１ｅに取り付けた電動機５５の回転軸５５ａを羽根車室部５１ｃ内に貫通させて該羽根車室部５１ｃ内に設置する遠心羽根車５４を嵌着するように取り付ける構成である。取り付け脚部５１ｆは、電動機取付部５１ｅの周りに複数個設けて電動機５５が外槽５の底に突き当たらない位置となるように該外槽５の底に下側からねじ止めして取り付ける形態である。
【００５１】
吸い込み側ケーシング５２は、吸い込み風路部５２ａと、この吸い込み風路部５２ａに形成したドレン排出口５２ｂと、吹き出し風路覆い部５２ｃと、ねじ結合部５２ｄと、周縁嵌着突条５２ｅを備える。そして、この吸い込み側ケーシング５２を仕切り板５３を挟んで吹き出し側ケーシング５１の下側に周縁嵌着突条５２ｅを周縁嵌着溝５１ｈに嵌着するように合わせてねじ結合部５１ｇ，５２ｄをねじ止め結合することによって、吸い込み風路部５２ａは吸い込み口部５１ａと遠心羽根車５４の吸い込み側を連通する吸い込み風路を形成し、吹き出し風路覆い部５２ｃは吹き出し風路部５１ｄを覆って遠心羽根車５４の吹き出し側と吹き出し口部５１ｂを連通する吹き出し風路を形成する。
【００５２】
因に、仕切り板５３は、吸い込み開口５３ａを備え、この吸い込み開口５３ａを遠心羽根車５４の吸い込み側に対向させるように羽根車室部５１ｃと吸い込み風路部５２ａの間に位置して吸い込み側と吹き出し側の風路を分離するように区画する。
【００５３】
このような循環ファン２６は、外槽５を倒立させて底を上向きにした状態で積み重ねるようにして組み付けることにより組み立てる。具体的には、電動機５５を吹き出し側ケーシング５１の電動機取付部５２ｅにねじ止めして取り付ける。電動機５５を取り付けた吹き出し側ケーシング５１を裏返しにして取り付け脚部５１ｆを外槽５の取り付け座に合わせてねじ止めする。このとき、吸い込み口部５１ａは上向きになっている下降風路ダクト２５の下端部に嵌合させ、吹き出し口部５１ｂは上向きになっている上昇風路ダクト２７の下端部に嵌合させた状態とする。その後、遠心羽根車５４を回転軸５５ａに取り付けて羽根車室部５１ｃ内に設置し、続いて仕切り板５４３を乗せ、次いで、吸い込み側ケーシング５２を裏返しにして吹き出し側ケーシング５１に合わせて結合部５１ｇ，５２ｄをねじ結合することにより、組み立てと取り付けを完了する。
【００５４】
なお、この循環ファン２６は、予め単独状態で組み立てた後に外槽５の底に取り付けるように変形することもできる。具体的には、取り付け脚部５１ｆを外周にはみ出した位置に突設し、吹き出し側ケーシング５１をベースにして電動機５５，遠心羽根車５４，仕切り板５３，吸い込み側ケーシング５２を組み付けることによって循環ファン２６を単独状態に組み立て、これを取り付け脚部５１ｆによって外槽５の底に取り付けることによって吸い込み口部５１ａと吹き出し口部５１ｂを風路ダクト２５，２７に嵌合させるように変形して構成することもできる。
【００５５】
このように循環ファン２６は、少ない部品数で構成して循環風路に接続するように組み立ておよび取り付けることができるので、合理的な設置が可能である。
【００５６】
【発明の効果】
本発明は、循環ファンを循環風路に合理的に設置することができる。
【図面の簡単な説明】
【図１】本発明になる洗濯乾燥機の一実施の形態を示す模式図である。
【図２】本発明になる洗濯乾燥機の具体的な構成を示す縦断側面図である。
【図３】図２に示した洗濯乾燥機の外枠の後側を切り欠いて循環風路部を示す背面図である。
【図４】図２に示した洗濯乾燥機の一部を切り欠いて示す下面図である。
【図５】図２に示した洗濯乾燥機の一体成形した外槽と各ダクトの斜視図である。
【図６】部品の一部を分解して示す循環ファンの縦断側面図である。
【図７】循環ファンを分解して示す縦断側面図である。
【図８】吹き出し側ケーシングと仕切り板と吸い込み側ケーシングの内面図である。
【符号の説明】
１…外枠、２…洗濯兼脱水槽、４…撹拌翼、５…外槽、５ａ…吸い出し口、６…駆動装置、２３…水冷除湿ダクト、２５…下降風路ダクト、２６…循環ファン、２７…上昇風路ダクト、５１…吹き出し側ケーシング、５１ａ…吸い込み口部、５１ｂ…吹き出し口部、５１ｃ…羽根車室部、５１ｄ…吹き出し風路部、５１ｅ…電動機取付部、５１ｆ…取り付け脚部、５１ｇ…ねじ結合部、５１ｈ…周縁嵌着溝、５２…吸い込み側ケーシング、５２ａ…吸い込み風路部、５２ｂ…ドレン排出口、５２ｃ…吹き出し風路覆い部、５２ｄ…ねじ結合部、５２ｅ…周縁嵌着突条、５３…仕切り板、５４…遠心羽根車、５５…電動機。
【図１】
0003598278.tif 000002
【図２】
0003598278.tif 000003
【図３】
0003598278.tif 000004
【図４】
0003598278.tif 000005
【図５】
0003598278.tif 000006
【図６】
0003598278.tif 000007
【図７】
0003598278.tif 000008
【図８】
0003598278.tif 000009